(57)【要約】【課題】無線子機の子機番号表示部に、当該無線子機に対応する看護支援データを表示させる。【解決手段】本発明のナースコールシステムは、病室内の各病床に設けられたナースコール子機４ａ、４ｂと、病室毎に設置されナースコール子機からの呼出を検出してナースコール制御機６へ呼出情報を送信する集合廊下灯５ａ、５ｂと、ナースコール制御機からの呼出情報を受信して呼出が通報されるナースコール親機１と、ナースコール子機からの呼出種別、ベッド番号が交換機８及び無線基地局９を介して子機番号表示部１２０に表示される無線子機１０ａ、１０ｂとを備えている。  また、病院内ネットワークに接続されている患者情報を記録・保存・検索するデータベース装置７と、データベース装置に保存されチーム番号、担当番号等のデータを含む看護支援データを記録・保存・検索するナースコール用サーバ２とが設けられ、ナースコール用サーバに保存され無線子機に対応する看護支援データが待受時に無線子機の子機番号表示部に表示される。【選択図】図１
2005287569.tif 000002
【特許請求の範囲】
【請求項１】
病室内の各病床に設けられたナースコール子機（４ａ、４ｂ、・・・）と、前記病室毎に設置され前記ナースコール子機からの呼出を検出してナースコール制御機（６）へ廊下灯幹線（Ｌ３）を介して呼出情報を送信する集合廊下灯（５ａ、５ｂ、・・・）と、前記ナースコール制御機からの前記呼出情報を受信して前記呼出が通報されるナースコール親機（１）と、前記ナースコール子機からの呼出種別、ベッド番号が交換機（８）及び無線基地局（９）を介して子機番号表示部（１２０）に表示される無線子機（１０ａ、１０ｂ、・・・）とを備え、
病院内ネットワークに接続されている患者情報を記録・保存・検索するオーダリングシステム等のデータベース装置（７）と、前記データベース装置に保存されチーム番号、担当番号等のデータを含む看護支援データを記録・保存・検索するパーソナルコンピュータ等のナースコール用サーバ（２）とを設け、
前記ナースコール用サーバに保存され前記無線子機に対応する看護支援データを待受時に前記無線子機の前記子機番号表示部に表示することを特徴とするナースコールシステム。
【請求項２】
前記無線子機の子機番号表示部に表示する看護支援データを前記ナースコール用サーバで設定し、前記看護支援データの設定データをナースコール制御機へ送信し、前記無線子機の子機番号表示部に表示することを特徴とする請求項１記載のナースコールシステム。
【請求項３】
前記無線子機を充電部（３）から取り上げたときまたは電源投入時に前記無線子機のスピーカ（１１０）から前記看護支援データの内容に応じて音声または確認音が放音されることを特徴とする請求項１または請求項２記載のナースコールシステム。
【請求項４】
病室内の各病床に設けられたナースコール子機（４ａ、４ｂ、・・・）と、前記病室毎に設置され前記ナースコール子機からの呼出を検出してナースコール制御機（６）へ廊下灯幹線（Ｌ３）を介して呼出情報を送信する集合廊下灯（５ａ、５ｂ、・・・）と、前記ナースコール制御機からの前記呼出情報を受信して前記呼出が通報されるナースコール親機（１）と、前記ナースコール子機からの呼出種別、ベッド番号が交換機（８）及び無線基地局（９）を介して子機番号表示部（１２０）に表示される無線子機（１０ａ、１０ｂ、・・・）とを備え、
病院内ネットワークに接続されている患者情報を記録・保存・検索するオーダリングシステム等のデータベース装置（７）と、前記データベース装置に保存されチーム番号、担当番号等のデータを含む看護支援データを記録・保存・検索するパーソナルコンピュータ等のナースコール用サーバ（２）とを設け、
前記無線子機を使用する際に、前記無線子機の子機入力デバイス（１３０）に看護師のユーザーＩＤを入力することで、前記ユーザーＩＤが前記無線基地局、前記交換機を介して前記ナースコール用サーバに送信されて前記無線子機からの入力された看護師のユーザーＩＤと前記ナースコール用サーバ内の前記無線子機の内線番号、看護師名、ユーザーＩＤの関連付けデータを基に前記無線子機を使用する看護師名、勤務時間としての看護師のログイン、ログアウト情報を記録することを特徴とするナースコールシステム。
【請求項５】
前記無線子機からの入力された看護師のユーザーＩＤと前記ナースコール用サーバ内の前記無線子機の内線番号、看護師名、ユーザーＩＤの関連付けデータを基に前記無線子機の内線番号と看護師名の関連付けとなる前記無線子機の電話帳データを前記ナースコール用サーバで作成し、前記電話帳データを前記交換機、前記無線基地局を介して前記無線子機に送信することにより前記無線子機の電話帳を変更することを特徴とする請求項４記載のナースコールシステム。
【発明の詳細な説明】
【技術分野】
【０００１】
本発明はナースコールシステムに係わり、特に無線子機を備えるナースコールシステムに関する。
【背景技術】
【０００２】
従来から、この種のナースコールシステムとして、病室内の各病床に設けられたナースコール子機からの子機番号の呼出情報を病室毎に設置された集合廊下灯で検出し、かかる呼出情報を、廊下灯幹線を介してナースコール制御機へ送信し、ナースコール制御機で集合廊下灯からの呼出情報を受信し、ナースコール親機と無線基地局を介して無線子機とにナースコール子機からの呼出情報を通報・表示するものが知られている（例えば、特許文献１参照）。
【０００３】
ここで、上記の無線子機は、子機番号から病室番号、ベッド番号に変換するためナースコール子機ごとに設定された呼出表示テーブルを記憶するメモリと、呼出情報を受信したとき呼出表示テーブルを参照して子機番号に対する病室番号、ベッド番号を表示する表示部とを備えている。
【０００４】
このような構成のナースコールシステムによれば、無線子機に、ナースコール子機ごとに設定された呼出表示テーブルを記憶するメモリが装備されていることから、ナースコール制御機内に、ナースコール子機ごとに設定された呼出表示テーブルを作成する必要がなくなり、ひいては、病院毎にナースコールシステムを構築する必要がなく、また、ナースコール機器の設置後に病室番号や子機番号の設定が変更される場合においても、ナースコールシステムを再構築する必要がなくなる。
【０００５】
しかしながら、このような構成のナースコールシステムにおいては、第１に、チーム、担当毎に呼び出しが設定された無線子機が多数ある場合、待受時や呼出時にどの無線子機がどのチーム、担当に設定されているかを容易に判断することができないという難点があった。
【０００６】
第２に、日勤、準夜勤、夜勤の交代制で勤務する看護師の実働勤務時間の記録が自動化されていないことから、記録に手間がかかるという難点があった。
【０００７】
第３に、一つの無線子機を日勤、準夜勤、夜勤など複数の看護師が使用する場合、無線子機の内線番号と看護師名の関連付けデータである電話帳の作成が困難であるという難点があった。
【０００８】
【特許文献１】特開２００２−１０１２１６号公報（段落番号「００１６」、「００１７」、図１）
【発明の開示】
【発明が解決しようとする課題】
【０００９】
本発明は、上記のような難点を除去するためになされたもので、無線子機の子機番号表示部に、当該無線子機に対応する看護支援データを表示することができるナースコールシステムを提供することを目的としている。
【課題を解決するための手段】
【００１０】
本発明の第１の態様であるナースコールシステムは、病室内の各病床に設けられたナースコール子機と、病室毎に設置されナースコール子機からの呼出を検出してナースコール制御機へ廊下灯幹線を介して呼出情報を送信する集合廊下灯と、ナースコール制御機からの呼出情報を受信して呼出が通報されるナースコール親機と、ナースコール子機からの呼出種別、ベッド番号が交換機及び無線基地局を介して子機番号表示部に表示される無線子機とを備え、病院内ネットワークに接続されている患者情報を記録・保存・検索するオーダリングシステム等のデータベース装置と、データベース装置に保存されチーム番号、担当番号等のデータを含む看護支援データを記録・保存・検索するパーソナルコンピュータ等のナースコール用サーバとを設け、ナースコール用サーバに保存され無線子機に対応する看護支援データを待受時に無線子機の子機番号表示部に表示するものである。
【００１１】
本発明の第２の態様は、本発明の第１の態様であるナースコールシステムにおいて、無線子機の子機番号表示部に表示する看護支援データをナースコール用サーバで設定し、看護支援データの設定データをナースコール制御機へ送信し、無線子機の子機番号表示部に表示するものである。
【００１２】
本発明の第３の態様は、本発明の第１の態様または第２の態様であるナースコールシステムにおいて、無線子機を充電部から取り上げたときまたは電源投入時に無線子機のスピーカから看護支援データの内容に応じて音声または確認音が放音されるものである。
【００１３】
本発明の第４の態様であるナースコールシステムは、病室内の各病床に設けられたナースコール子機と、病室毎に設置されナースコール子機からの呼出を検出してナースコール制御機へ廊下灯幹線を介して呼出情報を送信する集合廊下灯と、ナースコール制御機からの呼出情報を受信して呼出が通報されるナースコール親機と、ナースコール子機からの呼出種別、ベッド番号が交換機及び無線基地局を介して子機番号表示部に表示される無線子機とを備え、病院内ネットワークに接続されている患者情報を記録・保存・検索するオーダリングシステム等のデータベース装置と、データベース装置に保存されチーム番号、担当番号等のデータを含む看護支援データを記録・保存・検索するパーソナルコンピュータ等のナースコール用サーバとを設け、無線子機を使用する際に、無線子機の子機入力デバイスに看護師のユーザーＩＤを入力することで、ユーザーＩＤが無線基地局、交換機を介してナースコール用サーバに送信されて無線子機からの入力された看護師のユーザーＩＤとナースコール用サーバ内の無線子機の内線番号、看護師名、ユーザーＩＤの関連付けデータを基に無線子機を使用する看護師名、勤務時間としての看護師のログイン、ログアウト情報を記録するものである。
【００１４】
本発明の第５の態様は、本発明の第４の態様であるナースコールシステムにおいて、無線子機からの入力された看護師のユーザーＩＤとナースコール用サーバ内の無線子機の内線番号、看護師名、ユーザーＩＤの関連付けデータを基に無線子機の内線番号と看護師名の関連付けとなる無線子機の電話帳データをナースコール用サーバで作成し、電話帳データを交換機、無線基地局を介して無線子機に送信することにより無線子機の電話帳を変更するものである。
【発明の効果】
【００１５】
本発明の第１の態様乃至第５の態様であるナースコールシステムによれば、次のような効果がある。
【００１６】
第１に、患者情報を記録・保存・検索するデータベース装置と看護支援データを記録・保存・検索するナースコール用サーバとを備えることにより、無線子機に対応する看護支援データを待受時に無線子機の子機番号表示部に表示させることができ、看護師は、自分の無線子機を容易に判別できる。
【００１７】
第２に、無線子機を使用する際に、無線子機の子機入力デバイスに看護師のユーザーＩＤを入力することで、ナースコール用サーバにおいて看護師のユーザーＩＤとナースコール用サーバ内の無線子機の内線番号、看護師名、ユーザーＩＤの関連付けデータを作成することができ、かかる関連付けデータ基に無線子機を使用する看護師名や勤務時間としての看護師のログイン、ログアウト情報を記録させることができる。
【００１８】
第３に、ナースコール用サーバにおいて、上記の関連付けデータを基に無線子機の内線番号と看護師名の関連付けとなる無線子機の電話帳データを作成することができ、かかる電話帳データを無線子機に送信することにより、無線子機の電話帳を変更することができる。
【発明を実施するための最良の形態】
【００１９】
以下、本発明のナースコールシステムを適用した好ましい実施の形態例について、図面を参照して説明する。
【００２０】
図１は、本発明のナースコールシステムのシステム構成図を示している。同図において、本発明のナースコールシステムは、ナースステーションに設置されたナースコール親機１、パーソナルコンピュータ等のナースコール用サーバ２および充電部３と、各病室Ａ、Ｂ内の各病床に設けられたナースコール子機４ａ、４ｂ、・・・と、各病室Ａ、Ｂの入口付近に設置され室番号設定部５１を有する集合廊下灯５ａ、５ｂ、・・・と、共用部等に設置されたナースコール制御機６およびオーダリングシステム等のデータベース装置７と、ナースコール子機４ａ、４ｂ、・・・からの呼出情報が交換機８及び無線基地局９を介して送信される無線子機１０ａ、１０ｂ、・・・とを備えている。また、ナースコール用サーバ２は、ディスプレイ等の表示デバイス２１およびスイッチ、キーボード、マウス、タッチパネル等を有する入力デバイス２２の各部を備えており、さらに、無線子機１０ａ、１０ｂ、・・・は、それぞれ同様の構成とされ、スピーカ１１０、子機番号表示部１２０および子機入力デバイス１３０の各部を備えている。
【００２１】
ここで、ナースコール親機１は第１の伝送路Ｌ１を介してナースコール制御機６に、第２の伝送路Ｌ２を介してナースコール用サーバ２にそれぞれ接続され、ナースコール制御機６には第３の伝送路（以下「廊下灯幹線」という。）Ｌ３を介して集合廊下灯５ａ、５ｂ、・・・が、第４の伝送路Ｌ４を介して交換機８がそれぞれ接続され、ナースコール用サーバ２には第５の伝送路Ｌ５を介してデータベース装置７が接続されている。また、各集合廊下灯５ａ、５ｂ、・・・は第６の伝送路Ｌ６を介して対応するナースコール子機４ａ、４ｂ、・・・にそれぞれ接続され、交換機８は第７の伝送路Ｌ７を介して無線基地局９に、第８の伝送路Ｌ８を介してナースコール用サーバ２およびデータベース装置７に接続されている。
【００２２】
次に、このように構成された本発明のナースコールシステムの動作について説明する。なお、（イ）例えば、病室Ａ内のあるナースコール子機（以下「第１のナースコール子機」という。）４ａから患者が呼び出しを行うと、病室Ａに対応する集合廊下灯５ａ（以下「第１の集合廊下灯５ａ」という。）により第１のナースコール子機４ａからの呼び出しが検出され、緊急呼出、通常呼出等の呼出種別および第１のナースコール子機４ａの子機番号が廊下灯幹線Ｌ３を介してナースコール制御機６へ送信される点、（ロ）ナースコール制御機６からナースコール親機１に対して呼出種別およびナースコール子機番号が送信され、ナースコール親機１において呼出種別に応じた呼出音で鳴動するとともに、子機番号に対応する呼出表示灯が点滅する点、（ハ）ナースコール制御機６において呼出表示テーブルにより子機番号に対応する表示データが参照され、交換機８に対して呼出種別および表示データからなる呼出情報が送信される点、（ニ）ナースコール制御機６からの呼出情報をもとに無線基地局９から例えば無線子機１０ａ（以下「第１の無線子機１０ａ」という。）が呼び出され、第１の無線子機１０ａにおいて呼出情報で指定された呼出音で鳴動するとともに、指定された呼出表示データが第１の無線子機１０ａの子機番号表示部（以下「第１の子機番号表示部」という。）１２０に表示される点、（ホ）第１のナースコール子機４ａからの呼び出しに対して、ナースコール親機１は呼出表示灯の位置により第１のナースコール子機４ａを確認し、あるいは第１の無線子機１０ａが応答する場合には第１の子機番号表示部１２０により病室番号、ベッド番号を確認してから通話を行い、看護師が呼び出しに対して必要な処理を行う点は従来のナースコールシステムと同様であることから、詳細な説明を省略する。
【００２３】
先ず、無線子機１０ａ、１０ｂ、・・・には、予め、「１０１」、「１０２」…等の内線番号が割り当てられており、また、データベース装置７には病院内ネットワークに接続されている患者情報が記録・保存され、パーソナルコンピュータ等のナースコール用サーバ２のデータベースには、予めデータベース装置７から取り込まれたチーム番号、担当番号等のデータを含む看護支援データが記録・保存されている。
【００２４】
このような状態において、ナースセンター内の看護師などがナースコール用サーバ２の入力デバイス２２により、表示デバイス２１に表示されている無線子機設定項目の中から例えば第１の子機番号表示部１２０に表示したいチーム番号（例えば「１」、「２」）、担当番号（例えば「１０」、「２０」）を設定すると、ナースコール用サーバ２のデータベースからチーム番号、担当番号等のデータを含む看護支援データ（以下「第１の看護支援データ」という。）が設定され、かかる第１の看護支援データの設定データ（以下「第１の設定データ」と言う。）が第２の伝送路Ｌ２を介してナースコール親機１へ送信される。
【００２５】
かかる第１の設定データがナースコール親機１で検出されると、ナースコール親機１から第１の無線子機１０ａの内線番号（以下「第１の内線番号」という。）を含有する第１の設定データが第１の伝送路Ｌ１、ナースコール制御機６、第４の伝送路Ｌ４、交換機８および第７の伝送路Ｌ７を介して無線基地局９へ送信される。
【００２６】
かかる第１の設定データが無線基地局９で検出されると、ナースコール制御機６からの第１の設定データをもとに第１の無線子機１０ａが呼び出され、第１の子機番号表示部１２０に、第１の設定データで指定されたチーム番号、担当番号を含む第１の看護支援データが表示される。
【００２７】
次に、例えばある看護師（以下「第１の看護師」という。）が第１の無線子機１０ａを使用する際に、子機入力デバイス１３０で第１の看護師のユーザーＩＤ（以下「第１のユーザーＩＤ」という。）を入力すると、第１の無線子機１０ａから第１の内線番号を含有する第１のユーザーＩＤが無線基地局９および第７の伝送路Ｌ７、交換機８および第８の伝送路Ｌ８を介してナースコール用サーバ２へ送信される。
【００２８】
かかる第１の内線番号を含有する第１のユーザーＩＤがナースコール用サーバ２で検出されると、第１のユーザーＩＤとナースコール用サーバ２のデータベースに予め保存されている第１の看護師に係るユーザーＩＤとが照合され、両者のユーザーＩＤが一致すると第１のユーザーＩＤに係る第１の看護師名が抽出され、抽出された第１の看護師名、第１の看護師が第１の無線子機１０ａに第１のユーザーＩＤを入力した時刻、第１の無線子機１０ａの内線番号、第１のユーザーＩＤがナースコール用サーバ２のデータベースに記録される。
【００２９】
同様にして、他の看護師（以下「第２の看護師」という。）が第１の無線子機１０ａを使用して第２の看護師のユーザーＩＤ（以下「第２のユーザーＩＤ」という。）を入力すると、前述と同様にして、ナースコール用サーバ２において第２のユーザーＩＤに係る第２の看護師名が抽出され、抽出された第２の看護師名、第２の看護師が第１の無線子機１０ａに第２のユーザーＩＤを入力した時刻、第１の無線子機１０ａの内線番号、第２のユーザーＩＤがナースコール用サーバ２のデータベースに記録される。
【００３０】
このような構成のナースコールシステムによれば、ナースコール用サーバ２において抽出された第１、第２の看護師名、ナースコール用サーバ２内の第１の無線子機１０ａに係る内線番号、およびナースコール用サーバ２内の第１、第２の看護師に係るユーザーＩＤに基づいて関連付けデータを作成することができ、この関連付けデータをもとに第１の無線子機１０ａを使用する第１、第２の看護師名、勤務時間としての第１、第２の看護師のログイン、ログアウト情報を記録することができる。
【００３１】
また、第１の無線子機１０ａからの入力された第１、第２の看護師のユーザーＩＤと、ナースコール用サーバ内の第１の無線子機１０ａの内線番号、第１、第２の看護師名、第１、第２のユーザーＩＤの関連付けデータをもとに第１の無線子機１０ａの内線番号と第１、第２の看護師名の関連付けとなる第１の無線子機１０ａの電話帳データをナースコール用サーバ２で作成することができる。
【００３２】
このようにして作成された電話帳データは、ナースコール用サーバ２から前述の第１の内線番号を含有する第１のユーザーＩＤと逆の経路を経由して第１の無線子機１０ａへ送信される。これにより、第１の無線子機１０ａの電話帳が変更される。
【産業上の利用可能性】
【００３３】
本発明のナースコールシステムは、前述の実施例に限定されず、例えば、次に述べるようにしても、本発明のナースコールシステムと同様の効果を奏する。
【００３４】
第１に、無線子機１０ａ、１０ｂを充電部３から取り上げたときまたは電源投入時に無線子機１０ａ、１０ｂのスピーカ１１０から看護支援データの内容に応じた音声または確認音が放音されるように構成してもよい。
【００３５】
第２に、ナースコール用サーバ２の表示デバイス２１に表示されている無線子機設定項目の中から子機番号表示部１２０に表示したいチーム番号や担当番号の色、無線子機の背景色および無線子機１０ａ、１０ｂ、・・・の着信音コードを入力デバイス２２で設定することで、子機番号表示部１２０に設定された色のチーム番号や担当番号および背景を表示させることができ、また、スピーカ１１０に設定された着信音を鳴動させることができる。
【００３６】
第３に、病室の個数やナースコール子機、集合廊下灯および無線子機の台数は実施例のものに限定されず、システムの規模に応じて増減することができる。
【図面の簡単な説明】
【００３７】
【図１】本発明の一実施例におけるナースコールシステムのシステム構成図。
【符号の説明】
【００３８】
１・・・ナースコール親機
２・・・ナースコール用サーバ
３・・・充電部
４ａ、４ｂ・・・ナースコール子機
５ａ、５ｂ・・・集合廊下灯
６・・・ナースコール制御機
７・・・データベース装置
８・・・交換機
９・・・無線基地局
１０ａ、１０ｂ・・・無線子機
１１０・・・スピーカ
１２０・・・子機番号表示部
１３０・・・子機入力デバイス
Ｌ３・・・第３の伝送路（廊下灯幹線）
【図１】
2005287569.tif 000003